(57)【要約】【課題】  周囲の状況に合わせて自動的に音声データに出力を制御できるようにする。【解決手段】  時間情報部１０３で取得した時間情報に基づいて、例えば夜間であると判断した場合には、ゲイン調整部１０１で音声データのゲインを下げてから音声出力部１０４に出力する。【選択図】  図１
2007005853.tif 000002
【特許請求の範囲】
【請求項１】
音声ストリームを復号化する音声復号部と、
前記音声復号部から出力される音声データのゲイン調整を行うゲイン調整部と、
前記ゲイン調整部でゲイン調整された音声データを出力する音声出力部と、
時間情報を取得する時間情報部と、
前記時間情報に基づいて前記ゲイン調整部の動作を制御するゲイン制御部とを備えたことを特徴とする音声復号装置。
【請求項２】
音声ストリームを復号化する音声復号部と、
前記音声復号部から出力される音声データのダイナミックレンジコンプレッション（ＤＲＣ）調整を行うＤＲＣ調整部と、
前記ＤＲＣ調整部でＤＲＣ調整された音声データを出力する音声出力部と、
時間情報を取得する時間情報部と、
前記時間情報に基づいて前記ＤＲＣ調整部の動作を制御するＤＲＣ制御部とを備えたことを特徴とする音声復号装置。
【請求項３】
音声ストリームを復号化する音声復号部と、
前記音声復号部から出力される音声データの周波数領域の一部カットを行う周波数調整部と、
前記周波数調整部で調整された音声データを出力する音声出力部と、
時間情報を取得する時間情報部と、
前記時間情報に基づいて前記周波数調整部の動作を制御する周波数制御部とを備えたことを特徴とする音声復号装置。
【請求項４】
請求項１に記載された音声復号装置において、
前記時間情報部の代わりに、照度情報を取得する照度情報部を備え、
前記ゲイン制御部は、前記照度情報に基づいて前記ゲイン調整部の動作を制御するように構成されていることを特徴とする音声復号装置。
【請求項５】
請求項２に記載された音声復号装置において、
前記時間情報部の代わりに、照度情報を取得する照度情報部を備え、
前記ＤＲＣ調整部は、前記照度情報に基づいて前記ＤＲＣ調整部の動作を制御するように構成されていることを特徴とする音声復号装置。
【請求項６】
請求項３に記載された音声復号装置において、
前記時間情報部の代わりに、照度情報を取得する照度情報部を備え、
前記周波数制御部は、前記照度情報に基づいて前記周波数調整部の動作を制御するように構成されていることを特徴とする音声復号装置。
【請求項７】
請求項１に記載された音声復号装置において、
前記時間情報部の代わりに、気温情報を取得する気温情報部を備え、
前記ゲイン制御部は、前記気温情報に基づいて前記ゲイン調整部の動作を制御するように構成されていることを特徴とする音声復号装置。
【請求項８】
請求項２に記載された音声復号装置において、
前記時間情報部の代わりに、気温情報を取得する気温情報部を備え、
前記ＤＲＣ調整部は、前記気温情報に基づいて前記ＤＲＣ調整部の動作を制御するように構成されていることを特徴とする音声復号装置。
【請求項９】
請求項３に記載された音声復号装置において、
前記時間情報部の代わりに、気温情報を取得する気温情報部を備え、
前記周波数制御部は、前記気温情報に基づいて前記周波数調整部の動作を制御するように構成されていることを特徴とする音声復号装置。
【請求項１０】
請求項１に記載された音声復号装置において、
前記時間情報部の代わりに、音声ストリームのジャンル情報を取得するジャンル情報部を備え、
前記ゲイン制御部は、前記ジャンル情報に基づいて前記ゲイン調整部の動作を制御するように構成されていることを特徴とする音声復号装置。
【請求項１１】
請求項２に記載された音声復号装置において、
前記時間情報部の代わりに、音声ストリームのジャンル情報を取得するジャンル情報部を備え、
前記ＤＲＣ調整部は、前記ジャンル情報に基づいて前記ＤＲＣ調整部の動作を制御するように構成されていることを特徴とする音声復号装置。
【請求項１２】
請求項３に記載された音声復号装置において、
前記時間情報部の代わりに、音声ストリームのジャンル情報を取得するジャンル情報部を備え、
前記周波数制御部は、前記ジャンル情報に基づいて前記周波数調整部の動作を制御するように構成されていることを特徴とする音声復号装置。
【請求項１３】
音声ストリームを復号化する音声復号部と、
前記音声復号部から出力される音声データの再生速度を調整する速度調整部と、
前記速度調整部で速度調整された音声データを出力する音声出力部と、
前記音声ストリームのジャンル情報を取得するジャンル情報部と、
前記ジャンル情報に基づいて前記速度調整部の動作を制御する速度制御部とを備えたことを特徴とする音声復号装置。
【請求項１４】
請求項１に記載された音声復号装置において、
前記時間情報部の代わりに、室内灯のＯＮ／ＯＦＦ状態を示す稼働情報を取得する稼働情報部を備え、
前記ゲイン制御部は、前記稼働情報に基づいて前記ゲイン調整部の動作を制御するように構成されていることを特徴とする音声復号装置。
【請求項１５】
請求項２に記載された音声復号装置において、
前記時間情報部の代わりに、室内灯のＯＮ／ＯＦＦ状態を示す稼働情報を取得する稼働情報部を備え、
前記ＤＲＣ調整部は、前記稼働情報に基づいて前記ＤＲＣ調整部の動作を制御するように構成されていることを特徴とする音声復号装置。
【請求項１６】
請求項３に記載された音声復号装置において、
前記時間情報部の代わりに、室内灯のＯＮ／ＯＦＦ状態を示す稼働情報を取得する稼働情報部を備え、
前記周波数制御部は、前記稼働情報に基づいて前記周波数調整部の動作を制御するように構成されていることを特徴とする音声復号装置。
【請求項１７】
請求項１に記載された音声復号装置において、
前記時間情報部の代わりに、ユーザーが乗車している自動車の窓の開閉状態を示す開閉情報を取得する開閉情報部を備え、
前記ゲイン制御部は、前記開閉情報に基づいて前記ゲイン調整部の動作を制御するように構成されていることを特徴とする音声復号装置。
【請求項１８】
請求項１に記載された音声復号装置において、
ユーザーが予め入力した手順通りに前記ゲイン制御部を動作させるための設定情報を設定する設定部をさらに備えたことを特徴とする音声復号装置。
【請求項１９】
請求項２に記載された音声復号装置において、
ユーザーが予め入力した手順通りに前記ＤＲＣ制御部を動作させるための設定情報を設定する設定部をさらに備えたことを特徴とする音声復号装置。
【請求項２０】
請求項３に記載された音声復号装置において、
ユーザーが予め入力した手順通りに前記周波数制御部を動作させるための設定情報を設定する設定部をさらに備えたことを特徴とする音声復号装置。
【請求項２１】
請求項１に記載された音声復号装置において、
前記ゲイン調整部でゲイン調整された音声データのゲイン値の限界値を設定する限界値制御部をさらに備えたことを特徴とする音声復号装置。
【請求項２２】
請求項１に記載された音声復号装置において、
前記音声復号部から出力される音声データの出力先を切り替える切り替え部をさらに備え、
前記切り替え部は、前記音声データのゲイン調整を行う場合には前記音声データを前記ゲイン調整部に対して出力する一方、ゲイン調整を行わない場合には前記音声出力部に出力するように構成されていることを特徴とする音声復号装置。
【発明の詳細な説明】
【技術分野】
【０００１】
本発明は、音声ストリームデータを復号する音声復号装置に関する。
【背景技術】
【０００２】
図２３は、従来の音声復号装置の構成を示すブロック図である。図２３に示すように、音声復号部１００で音声ストリーム１０５が復号化され、その復号化データが音声出力部１０４に入力されることで音声データが出力されるようになっている。
【０００３】
このとき、音声出力部１０４から出力される音声データのゲイン、ＤＲＣ、周波数特性、再生速度等は、時間や音声ストリームのジャンル等とは無関係に常に一定となっていた。
【０００４】
特許文献１には、周囲の雑音の音量レベル、ストリーム自体のゲイン、周波数特性（イコライジング特性）、又はダイナミックレンジ特性を考慮して、出音のゲイン、周波数特性（イコライジング特性）、又はダイナミックレンジの最適な設定値を設定する技術が開示されている。
【特許文献１】特開平１１−２３２７８７号公報
【発明の開示】
【発明が解決しようとする課題】
【０００５】
ここで、視聴者は、周囲の人に対して騒音とならないよう配慮しつつ音声データの聞きやすさを保つために、音声出力部１０４からの音声データを、周囲の騒音レベルが小さくなる夜間はゲイン（音量）を下げ、逆に騒音レベルが大きくなる昼間はゲインを上げて鑑賞すると考えられる。
【０００６】
さらに、前記音声データを、夜間には周囲の人への配慮からＤＲＣが高くなるように（すなわち、最大音声レベルと最小音声レベルの差が小さくなるように）設定し、昼間には聞きやすさを保つためにＤＲＣが低くなるように（前記レベル差が大きくなるように）設定してから鑑賞するようにしてもよい。
【０００７】
また、前記音声データを、夜間は周囲に騒音として伝わりやすい低周波数領域成分をカットして（すなわち、音声用ハイパスフィルターを通して）鑑賞し、昼間はそのようなカットを行わずに鑑賞するようにしてもよい。
【０００８】
一方、音声ストリームをジャンル別に見てみると、音量が大きなロックミュージックや音量の小さなリラクゼーション用の自然音等、様々なジャンルがある。このような音声データを鑑賞する場合、視聴者は、音量の大きいジャンルの音声データでは周囲への配慮からゲインを下げ、音量の小さいジャンルの音声データでは聞きやすさを保つためにゲインを上げると考えられる。
【０００９】
さらに、前記音声データを音量の大きいジャンルのものではＤＲＣを高く設定し、音量の小さいジャンルのものではＤＲＣを低く設定してから鑑賞するようにしてもよい。
【００１０】
また、前記音声データを、音量の大きいジャンルのものでは低周波数領域成分をカットして鑑賞し、音量の小さいジャンルのものではそのようなカットを行わずに鑑賞するようにしてもよい。
【００１１】
この他にも、例えば、データ蓄積型の媒体（ＣＤ、ＤＶＤ等）に記憶されている音声ストリームでは、再生速度を遅くするか又は早くした方が聞きやすさを保つことができる場合もある。
【００１２】
また、例えば、自動車内で音声データを鑑賞する場合について考えると、自動車の窓が開いている場合には、周囲の人に対して騒音とならないよう、音声データのゲインを下げてから鑑賞する方が好ましい。
【００１３】
さらに、上述した条件について、視聴者の好みに応じて逆に設定する（例えば、夜間にゲインを上げる等）場合には、音声データの特性が所定の範囲内に収まるように限界値を設定するようにした方が、ユーザーの都合や好みによっては適切である場合もある。
【００１４】
しかしながら、従来の音声復号装置では、視聴者が手動でこれらの制御を行わなければならず、非常に手間がかかり面倒な作業となっていた。
【００１５】
本発明は、かかる点に鑑みてなされたものであり、その目的とするところは、周囲の状況に合わせて自動的に音声データに出力を制御することにある。
【課題を解決するための手段】
【００１６】
すなわち、本発明の音声復号装置は、音声ストリームを復号化する音声復号部と、
前記音声復号部から出力される音声データのゲイン調整を行うゲイン調整部と、
前記ゲイン調整部でゲイン調整された音声データを出力する音声出力部と、
時間情報を取得する時間情報部と、
前記時間情報に基づいて前記ゲイン調整部を制御するゲイン制御部とを備えたことを特徴とするものである。
【発明の効果】
【００１７】
以上のように、本発明によれば、時間や照度情報等に基づいて、音声出力部から出力される音声データのゲインやＤＲＣ等を適切な値に自動的に調整することができ、ユーザーが手動で調整する手間が必要がなくなり好ましい。
【発明を実施するための最良の形態】
【００１８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１９】
＜実施形態１＞
図１は、本発明の実施形態１に係る音声復号装置１の構成を示すブロック図である。図１に示すように、この音声復号装置１は、音声ストリームを復号する音声復号部１００、音声データのゲインを調整するゲイン調整部１０１、ゲイン調整部１０１を制御するゲイン制御部１０２、時間情報を取得する時間情報部１０３、音声データを出力する音声出力部１０４（例えば、スピーカー等）を備えている。
【００２０】
符号化されている音声ストリーム１０５が前記音声復号装置１に入力されると、まず、前記音声復号部１００で音声ストリーム１０５が復号化されて音声データが生成され、この音声データがゲイン調整部１０１に入力される。このとき、音声データが生成されたことを示す情報が前記時間情報部１０３に通知される。
【００２１】
前記時間情報部１０３では、前記通知のあった時刻を示す時間情報が取得され、その時間情報が前記ゲイン制御部１０２に送信される。
【００２２】
前記ゲイン制御部１０２では、受信した時間情報に応じた音声データのゲイン値が算出される。具体的には、時間情報が夜間（２０：００〜７：００）の場合には音声データのゲインを下げるべきであると判断され、昼間（７：００〜２０：００）の場合には音声データのゲインを上げるべきであると判断され、各々の場合に応じたゲイン値が算出される。そして、この算出されたゲイン値が前記ゲイン調整部１０１に送信される。
【００２３】
前記ゲイン調整部１０１では、前記ゲイン値に基づいて、前記音声復号部１００から出力された音声データのゲイン値の調整が行われ、その調整後の音声データが音声出力部１０４に出力される。
【００２４】
前記音声出力部１０４では、入力された音声データがユーザーに視聴可能な音声として出力される。
【００２５】
以上のように、本実施形態１に係る音声復号装置によれば、前記音声出力部１０４から出力される音声データを聞く場合、視聴者は、周囲の騒音レベルが小さくなる夜間には、周囲の人への配慮として音声データのゲイン（音量）を下げて聞き、逆に騒音レベルが大きくなる昼間には聞きやすさを保つためにゲインを上げて聞くことができるようになり、非常に利便性が高まる。
【００２６】
なお、本実施形態１では、音声ストリーム１０５と音声復号部１００とを組み合わせた構成について説明したが、この形態に限定するものではなく、これらの組み合わせの代わりに何らかの音声データを出力するものであってもよい。この点は、以下の実施形態についても同様である。
【００２７】
＜実施形態２＞
図２は、本発明の実施形態２に係る音声復号装置２の構成を示すブロック図である。図２に示すように、この音声復号装置２は、音声ストリームを復号する音声復号部１００、音声データのダイナミックレンジコンプレッション（ＤＲＣ）を調整するＤＲＣ調整部２０１、ＤＲＣ調整部２０１を制御するＤＲＣ制御部２０２、時間情報を取得する時間情報部１０３、音声データを出力する音声出力部１０４を備えている。
【００２８】
符号化されている音声ストリーム１０５が前記音声復号装置２に入力されると、まず、前記音声復号部１００で音声ストリーム１０５が復号化されて音声データが生成され、この音声データがＤＲＣ調整部２０１に入力される。このとき、音声データが生成されたことを示す情報が前記時間情報部１０３に通知される。
【００２９】
前記時間情報部１０３では、前記通知のあった時刻を示す時間情報が取得され、その時間情報が前記ＤＲＣ制御部２０２に送信される。
【００３０】
前記ＤＲＣ制御部２０２では、受信した時間情報に応じたＤＲＣが算出される。具体的には、時間情報が夜間（２０：００〜７：００）の場合には音声データのＤＲＣを高く（すなわち、最大音声レベルと最小音声レベルの差が小さくなるように）設定すべきであると判断され、昼間（７：００〜２０：００）の場合には音声データのＤＲＣを低く（前記レベル差が大きくなるように）設定すべきであると判断され、各々の場合に応じたＤＲＣ値が算出される。そして、この算出されたＤＲＣ値がＤＲＣ調整部２０１に送信される。
【００３１】
前記ＤＲＣ調整部２０１では、前記ＤＲＣ値に基づいて、前記音声復号部１００から出力された音声データのＤＲＣ値の調整が行われ、その調整後の音声データが音声出力部１０４に出力される。
【００３２】
前記音声出力部１０４では、入力された音声データがユーザーに視聴可能な音声として出力される。
【００３３】
＜実施形態３＞
図３は、本発明の実施形態３に係る音声復号装置３の構成を示すブロック図である。図３に示すように、この音声復号装置３は、音声ストリームを復号化する音声復号部１００、音声データの特定の周波数領域成分のゲインを調整する周波数調整部３０１、周波数調整部３０１を制御する周波数制御部３０２、時間情報を取得する時間情報部１０３、音声データを出力する音声出力部１０４を備えている。
【００３４】
符号化されている音声ストリーム１０５が前記音声復号装置３に入力されると、まず、前記音声復号部１００で音声ストリーム１０５が復号化されて音声データが生成され、この音声データが周波数調整部３０１に入力される。このとき、音声データが生成されたことを示す情報が前記時間情報部１０３に通知される。
【００３５】
前記時間情報部１０３では、前記通知のあった時刻を示す時間情報が取得され、その時間情報が前記周波数制御部３０２に送信される。
【００３６】
前記周波数制御部３０２では、受信した時間情報に応じた低周波数領域成分のゲイン値が算出される。具体的には、時間情報が夜間（２０：００〜７：００）の場合には音声データの低周波数領域成分をカットすべきであると判断され、昼間（７：００〜２０：００）の場合にはそのようなカットは行うべきでないと判断され、各々の場合に応じた低周波数領域成分のゲイン値が算出される。そして、この算出された低周波数領域成分のゲイン値が周波数調整部３０１に送信される。
【００３７】
前記周波数調整部３０１では、前記低周波数領域成分のゲイン値に基づいて、前記音声復号部１００から出力された音声データの低周波数領域成分のゲイン値の調整が行われ、その調整後の音声データが音声出力部１０４に出力される。
【００３８】
前記音声出力部１０４では、入力された音声データがユーザーに視聴可能な音声として出力される。
【００３９】
＜実施形態４＞
図４は、本発明の実施形態４に係る音声復号装置４の構成を示すブロック図である。図４に示すように、この音声復号装置４は、音声ストリームを復号する音声復号部１００、音声データのゲインを調整するゲイン調整部１０１、ゲイン調整部１０１を制御するゲイン制御部１０２、照度情報を取得する照度情報部４０３、音声データを出力する音声出力部１０４を備えている。
【００４０】
符号化されている音声ストリーム１０５が前記音声復号装置４に入力されると、まず、前記音声復号部１００で音声ストリーム１０５が復号化されて音声データが生成され、この音声データがゲイン調整部１０１に入力される。このとき、音声データが生成されたことを示す情報が前記照度情報部４０３に通知される。
【００４１】
前記照度情報部４０３では、前記通知のあった時刻における照度情報が取得され、その照度情報が前記ゲイン制御部１０２に送信される。
【００４２】
前記ゲイン制御部１０２では、受信した照度情報に応じた音声データのゲイン値が算出される。具体的には、照度情報が夜間（２０：００〜７：００）に対応する照度を示している場合には音声データのゲインを下げるべきであると判断され、昼間（７：００〜２０：００）に対応した照度を示している場合には音声データのゲインを上げるべきであると判断され、各々の場合に応じたゲイン値が算出される。そして、この算出されたゲイン値が前記ゲイン調整部１０１に送信される。
【００４３】
前記ゲイン調整部１０１では、前記ゲイン値に基づいて、前記音声復号部１００から出力された音声データのゲイン値の調整が行われ、その調整後の音声データが音声出力部１０４に出力される。
【００４４】
前記音声出力部１０４では、入力された音声データがユーザーに視聴可能な音声として出力される。
【００４５】
以上のように、本実施形態４に係る音声復号装置によれば、前記音声出力部１０４から出力される音声データを聞く場合、照度情報に基づいて現在が昼間であるか又は夜間であるかを判断でき、視聴者は、周囲の騒音レベルが小さくなる夜間には、周囲の人への配慮として音声データのゲイン（音量）を下げて聞き、逆に騒音レベルが大きくなる昼間には聞きやすさを保つためにゲインを上げて聞くことができるようになり、非常に利便性が高まる。
【００４６】
＜実施形態５＞
図５は、本発明の実施形態５に係る音声復号装置５の構成を示すブロック図である。図５に示すように、この音声復号装置５は、音声ストリームを復号する音声復号部１００、音声データのダイナミックレンジコンプレッション（ＤＲＣ）を調整するＤＲＣ調整部２０１、ＤＲＣ調整部２０１を制御するＤＲＣ制御部２０２、照度情報を取得する照度情報部４０３、音声データを出力する音声出力部１０４を備えている。
【００４７】
符号化されている音声ストリーム１０５が前記音声復号装置５に入力されると、まず、前記音声復号部１００で音声ストリーム１０５が復号化されて音声データが生成され、この音声データがＤＲＣ調整部２０１に入力される。このとき、音声データが生成されたことを示す情報が前記照度情報部４０３に通知される。
【００４８】
前記照度情報部４０３では、前記通知のあった時刻における照度情報が取得され、その照度情報が前記ＤＲＣ制御部２０２に送信される。
【００４９】
前記ＤＲＣ制御部２０２では、受信した照度情報に応じたＤＲＣが算出される。具体的には、照度情報が夜間（２０：００〜７：００）に対応する照度を示している場合には音声データのＤＲＣを高く（すなわち、最大音声レベルと最小音声レベルの差が小さくなるように）設定すべきであると判断され、昼間（７：００〜２０：００）に対応する照度を示している場合には音声データのＤＲＣを低く（前記レベル差が大きくなるように）設定すべきであると判断され、各々の場合に応じたＤＲＣ値が算出される。そして、この算出されたＤＲＣ値がＤＲＣ調整部２０１に送信される。
【００５０】
前記ＤＲＣ調整部２０１では、前記ＤＲＣ値に基づいて、前記音声復号部１００から出力された音声データのＤＲＣ値の調整が行われ、その調整後の音声データが音声出力部１０４に出力される。
【００５１】
前記音声出力部１０４では、入力された音声データがユーザーに視聴可能な音声として出力される。
【００５２】
＜実施形態６＞
図６は、本発明の実施形態６に係る音声復号装置６の構成を示すブロック図である。図６に示すように、この音声復号装置６は、音声ストリームを復号化する音声復号部１００、音声データの特定の周波数領域成分のゲインを調整する周波数調整部３０１、周波数調整部３０１を制御する周波数制御部３０２、照度情報を取得する照度情報部４０３、音声データを出力する音声出力部１０４を備えている。
【００５３】
符号化されている音声ストリーム１０５が前記音声復号装置６に入力されると、まず、前記音声復号部１００で音声ストリーム１０５が復号化されて音声データが生成され、この音声データが周波数調整部３０１に入力される。このとき、音声データが生成されたことを示す情報が前記照度情報部４０３に通知される。
【００５４】
前記照度情報部４０３では、前記通知のあった時刻における照度を示す照度情報が取得され、その照度情報が前記周波数制御部３０２に送信される。
【００５５】
前記周波数制御部３０２では、受信した照度情報に応じた低周波数領域成分のゲイン値が算出される。具体的には、照度情報が夜間（２０：００〜７：００）に対応する照度を示している場合には音声データの低周波数領域成分をカットすべきであると判断され、昼間（７：００〜２０：００）に対応する照度を示している場合にはそのようなカットは行うべきでないと判断され、各々の場合に応じた低周波数領域成分のゲイン値が算出される。そして、この算出された低周波数領域成分のゲイン値が周波数調整部３０１に送信される。
【００５６】
前記周波数調整部３０１では、前記低周波数領域成分のゲイン値に基づいて、前記音声復号部１００から出力された音声データの低周波数領域成分のゲイン値の調整が行われ、その調整後の音声データが音声出力部１０４に出力される。
【００５７】
前記音声出力部１０４では、入力された音声データがユーザーに視聴可能な音声として出力される。
【００５８】
＜実施形態７＞
図７は、本発明の実施形態７に係る音声復号装置７の構成を示すブロック図である。図７に示すように、この音声復号装置７は、音声ストリームを復号する音声復号部１００、音声データのゲインを調整するゲイン調整部１０１、ゲイン調整部１０１を制御するゲイン制御部１０２、気温情報を取得する気温情報部７０３、音声データを出力する音声出力部１０４を備えている。
【００５９】
符号化されている音声ストリーム１０５が前記音声復号装置７に入力されると、まず、前記音声復号部１００で音声ストリーム１０５が復号化されて音声データが生成され、この音声データがゲイン調整部１０１に入力される。このとき、音声データが生成されたことを示す情報が前記気温情報部７０３に通知される。
【００６０】
前記気温情報部７０３では、前記通知のあった時刻における気温情報が取得され、その気温情報が前記ゲイン制御部１０２に送信される。
【００６１】
前記ゲイン制御部１０２では、受信した気温情報に応じた音声データのゲイン値が算出される。具体的には、気温情報が夜間（２０：００〜７：００）に対応する気温を示している場合には音声データのゲインを下げるべきであると判断され、昼間（７：００〜２０：００）に対応した気温を示している場合には音声データのゲインを上げるべきであると判断され、各々の場合に応じたゲイン値が算出される。そして、この算出されたゲイン値が前記ゲイン調整部１０１に送信される。
【００６２】
前記ゲイン調整部１０１では、前記ゲイン値に基づいて、前記音声復号部１００から出力された音声データのゲイン値の調整が行われ、その調整後の音声データが音声出力部１０４に出力される。
【００６３】
前記音声出力部１０４では、入力された音声データがユーザーに視聴可能な音声として出力される。
【００６４】
＜実施形態８＞
図８は、本発明の実施形態８に係る音声復号装置８の構成を示すブロック図である。図８に示すように、この音声復号装置８は、音声ストリームを復号する音声復号部１００、音声データのダイナミックレンジコンプレッション（ＤＲＣ）を調整するＤＲＣ調整部２０１、ＤＲＣ調整部２０１を制御するＤＲＣ制御部２０２、気温情報を取得する気温情報部７０３、音声データを出力する音声出力部１０４を備えている。
【００６５】
符号化されている音声ストリーム１０５が前記音声復号装置８に入力されると、まず、前記音声復号部１００で音声ストリーム１０５が復号化されて音声データが生成され、この音声データがＤＲＣ調整部２０１に入力される。このとき、音声データが生成されたことを示す情報が前記気温情報部７０３に通知される。
【００６６】
前記気温情報部７０３では、前記通知のあった時刻における気温情報が取得され、その気温情報が前記ＤＲＣ制御部２０２に送信される。
【００６７】
前記ＤＲＣ制御部２０２では、受信した気温情報に応じたＤＲＣが算出される。具体的には、気温情報が夜間（２０：００〜７：００）に対応する気温を示している場合には音声データのＤＲＣを高く（すなわち、最大音声レベルと最小音声レベルの差が小さくなるように）設定すべきであると判断され、昼間（７：００〜２０：００）に対応する気温を示している場合には音声データのＤＲＣを低く（前記レベル差が大きくなるように）設定すべきであると判断され、各々の場合に応じたＤＲＣ値が算出される。そして、この算出されたＤＲＣ値がＤＲＣ調整部２０１に送信される。
【００６８】
前記ＤＲＣ調整部２０１では、前記ＤＲＣ値に基づいて、前記音声復号部１００から出力された音声データのＤＲＣ値の調整が行われ、その調整後の音声データが音声出力部１０４に出力される。
【００６９】
前記音声出力部１０４では、入力された音声データがユーザーに視聴可能な音声として出力される。
【００７０】
＜実施形態９＞
図９は、本発明の実施形態９に係る音声復号装置９の構成を示すブロック図である。図９に示すように、この音声復号装置９は、音声ストリームを復号化する音声復号部１００、音声データの特定の周波数領域成分のゲインを調整する周波数調整部３０１、周波数調整部３０１を制御する周波数制御部３０２、気温情報を取得する気温情報部７０３、音声データを出力する音声出力部１０４を備えている。
【００７１】
符号化されている音声ストリーム１０５が前記音声復号装置９に入力されると、まず、前記音声復号部１００で音声ストリーム１０５が復号化されて音声データが生成され、この音声データが周波数調整部３０１に入力される。このとき、音声データが生成されたことを示す情報が前記気温情報部７０３に通知される。
【００７２】
前記気温情報部７０３では、前記通知のあった時刻における気温を示す気温情報が取得され、その気温情報が前記周波数制御部３０２に送信される。
【００７３】
前記周波数制御部３０２では、受信した気温情報に応じた低周波数領域成分のゲイン値が算出される。具体的には、気温情報が夜間（２０：００〜７：００）に対応する気温を示している場合には音声データの低周波数領域成分をカットすべきであると判断され、昼間（７：００〜２０：００）に対応する気温を示している場合にはそのようなカットは行うべきでないと判断され、各々の場合に応じた低周波数領域成分のゲイン値が算出される。そして、この算出された低周波数領域成分のゲイン値が周波数調整部３０１に送信される。
【００７４】
前記周波数調整部３０１では、前記低周波数領域成分のゲイン値に基づいて、前記音声復号部１００から出力された音声データの低周波数領域成分のゲイン値の調整が行われ、その調整後の音声データが音声出力部１０４に出力される。
【００７５】
前記音声出力部１０４では、入力された音声データがユーザーに視聴可能な音声として出力される。
【００７６】
＜実施形態１０＞
図１０は、本発明の実施形態１０に係る音声復号装置１０の構成を示すブロック図である。図１０に示すように、この音声復号装置１０は、音声ストリームを復号する音声復号部１００、音声データのゲインを調整するゲイン調整部１０１、ゲイン調整部１０１を制御するゲイン制御部１０２、ジャンル情報を取得するジャンル情報部１００３、音声データを出力する音声出力部１０４を備えている。
【００７７】
符号化されている音声ストリーム１０５が前記音声復号装置１０に入力されると、まず、前記音声復号部１００で音声ストリーム１０５が復号化されて音声データが生成され、この音声データがゲイン調整部１０１に入力される。このとき、音声データが生成されたことを示す情報が前記ジャンル情報部１００３に通知される。
【００７８】
前記ジャンル情報部１００３では、前記音声ストリーム１０５のジャンル情報が取得され、そのジャンル情報が前記ゲイン制御部１０２に送信される。
【００７９】
なお、音声ストリーム１０５のジャンル情報は、ｎ種類（ｎ＝１，２，３，・・・）に分類されており、ジャンル情報部１００３及びゲイン制御部１０２がそれぞれジャンル情報を識別できるものとする。
【００８０】
前記ゲイン制御部１０２では、受信したジャンル情報に応じた音声データのゲイン値が算出される。具体的には、ジャンル情報が、例えばロックミュージック等の音量が大きいジャンルである場合には音声データのゲインを下げるべきであると判断され、例えば自然音等の音量が小さいジャンルである場合には音声データのゲインを上げるべきであると判断され、各々の場合に応じたゲイン値が算出される。そして、この算出されたゲイン値が前記ゲイン調整部１０１に送信される。
【００８１】
前記ゲイン調整部１０１では、前記ゲイン値に基づいて、前記音声復号部１００から出力された音声データのゲイン値の調整が行われ、その調整後の音声データが音声出力部１０４に出力される。
【００８２】
前記音声出力部１０４では、入力された音声データがユーザーに視聴可能な音声として出力される。
【００８３】
＜実施形態１１＞
図１１は、本発明の実施形態１１に係る音声復号装置１１の構成を示すブロック図である。図１１に示すように、この音声復号装置１１は、音声ストリームを復号する音声復号部１００、音声データのダイナミックレンジコンプレッション（ＤＲＣ）を調整するＤＲＣ調整部２０１、ＤＲＣ調整部２０１を制御するＤＲＣ制御部２０２、ジャンル情報を取得するジャンル情報部１００３、音声データを出力する音声出力部１０４を備えている。
【００８４】
符号化されている音声ストリーム１０５が前記音声復号装置１１に入力されると、まず、前記音声復号部１００で音声ストリーム１０５が復号化されて音声データが生成され、この音声データがＤＲＣ調整部２０１に入力される。このとき、音声データが生成されたことを示す情報が前記ジャンル情報部１００３に通知される。
【００８５】
前記ジャンル情報部１００３では、前記音声ストリーム１０５のジャンル情報が取得され、そのジャンル情報が前記ＤＲＣ制御部２０２に送信される。
【００８６】
なお、音声ストリーム１０５のジャンル情報は、ｎ種類（ｎ＝１，２，３，・・・）に分類されており、ジャンル情報部１００３及びＤＲＣ制御部２０２がそれぞれジャンル情報を識別できるものとする。
【００８７】
前記ＤＲＣ制御部２０２では、受信したジャンル情報に応じたＤＲＣが算出される。具体的には、ジャンル情報が、例えばロックミュージック等の音量が大きいジャンルである場合には音声データのＤＲＣを高く（すなわち、最大音声レベルと最小音声レベルの差が小さくなるように）設定すべきであると判断され、例えば自然音等の音量が小さいジャンルである場合には音声データのＤＲＣを低く（前記レベル差が大きくなるように）設定すべきであると判断され、各々の場合に応じたＤＲＣ値が算出される。そして、この算出されたＤＲＣ値がＤＲＣ調整部２０１に送信される。
【００８８】
前記ＤＲＣ調整部２０１では、前記ＤＲＣ値に基づいて、前記音声復号部１００から出力された音声データのＤＲＣ値の調整が行われ、その調整後の音声データが音声出力部１０４に出力される。
【００８９】
前記音声出力部１０４では、入力された音声データがユーザーに視聴可能な音声として出力される。
【００９０】
＜実施形態１２＞
図１２は、本発明の実施形態１２に係る音声復号装置１２の構成を示すブロック図である。図１２に示すように、この音声復号装置１２は、音声ストリームを復号化する音声復号部１００、音声データの特定の周波数領域成分のゲインを調整する周波数調整部３０１、周波数調整部３０１を制御する周波数制御部３０２、ジャンル情報を取得するジャンル情報部１００３、音声データを出力する音声出力部１０４を備えている。
【００９１】
符号化されている音声ストリーム１０５が前記音声復号装置１２に入力されると、まず、前記音声復号部１００で音声ストリーム１０５が復号化されて音声データが生成され、この音声データが周波数調整部３０１に入力される。このとき、音声データが生成されたことを示す情報が前記ジャンル情報部１００３に通知される。
【００９２】
前記ジャンル情報部１００３では、前記音声ストリーム１０５のジャンル情報が取得され、そのジャンル情報が前記周波数制御部３０２に送信される。
【００９３】
なお、音声ストリーム１０５のジャンル情報は、ｎ種類（ｎ＝１，２，３，・・・）に分類されており、ジャンル情報部１００３及び周波数制御部３０２がそれぞれジャンル情報を識別できるものとする。
【００９４】
前記周波数制御部３０２では、受信したジャンル情報に応じた低周波数領域成分のゲイン値が算出される。具体的には、ジャンル情報が、例えばロックミュージック等の音量が大きいジャンルである場合には音声データの低周波数領域成分をカットすべきであると判断され、例えば自然音等の音量が小さいジャンルである場合にはそのようなカットは行うべきでないと判断され、各々の場合に応じた低周波数領域成分のゲイン値が算出される。そして、この算出された低周波数領域成分のゲイン値が周波数調整部３０１に送信される。
【００９５】
前記周波数調整部３０１では、前記低周波数領域成分のゲイン値に基づいて、前記音声復号部１００から出力された音声データの低周波数領域成分のゲイン値の調整が行われ、その調整後の音声データが音声出力部１０４に出力される。
【００９６】
前記音声出力部１０４では、入力された音声データがユーザーに視聴可能な音声として出力される。
【００９７】
＜実施形態１３＞
図１３は、本発明の実施形態１３に係る音声復号装置１３の構成を示すブロック図である。図１３に示すように、この音声復号装置１３は、音声ストリームを復号する音声復号部１００、音声データの再生速度を変化させる速度調整部１３０１、速度調整部１３０１を制御する速度制御部１３０２、ジャンル情報を取得するジャンル情報部１００３、音声データを出力する音声出力部１０４を備えている。
【００９８】
符号化されている音声ストリーム１０５が前記音声復号装置１３に入力されると、まず、前記音声復号部１００で音声ストリーム１０５が復号化されて音声データが生成され、この音声データが速度調整部１３０１に入力される。このとき、音声データが生成されたことを示す情報が前記ジャンル情報部１００３に通知される。
【００９９】
前記ジャンル情報部１００３では、前記音声ストリーム１０５のジャンル情報が取得され、そのジャンル情報が前記速度制御部１３０２に送信される。
【０１００】
なお、音声ストリーム１０５のジャンル情報は、ｎ種類（ｎ＝１，２，３，・・・）に分類されており、ジャンル情報部１００３及び速度制御部１３０２がそれぞれジャンル情報を識別できるものとする。
【０１０１】
前記速度制御部１３０２では、受信したジャンル情報に応じた音声データの再生速度が算出される。具体的には、ジャンル情報が、例えばニュースやバラエティ等、再生速度を変化させても構わないジャンルの場合には音声データの再生速度を上げるべきであると判断され、例えばスポーツやオーディオ等の再生速度を変化させるべきでないジャンルの場合には再生速度を上げるべきではないと判断され、各々の場合に応じた再生速度が算出される。そして、この算出された再生速度を示す値が前記速度調整部１３０１に送信される。
【０１０２】
前記速度調整部１３０１では、前記再生速度を示す値に基づいて、前記音声復号部１００から出力された音声データの再生速度の調整が行われ、その調整後の音声データが音声出力部１０４に出力される。
【０１０３】
前記音声出力部１０４では、入力された音声データがユーザーに視聴可能な音声として出力される。
【０１０４】
以上のように、本実施形態１３に係る音声復号装置によれば、前記音声出力部１０４から出力される音声データを聞く場合、音声ストリームのジャンルに応じて再生速度を変化させることができる。すなわち、視聴者は、音声ストリームのジャンルがニュースやバラエティ等の時間を節約して聞くべきものである場合には再生速度を上げて聞き、スポーツやミュージック等の再生速度が変わるべきではないものである場合には再生速度を上げないで聞くというように、再生速度の設定を自動的に行うことができ、非常に利便性が高まる。
【０１０５】
＜実施形態１４＞
図１４は、本発明の実施形態１４に係る音声復号装置１４の構成を示すブロック図である。図１４に示すように、この音声復号装置１４は、音声ストリームを復号する音声復号部１００、音声データのゲインを調整するゲイン調整部１０１、ゲイン調整部１０１を制御するゲイン制御部１０２、視聴者のいる部屋の室内灯のＯＮ／ＯＦＦ状態を示す稼働情報を取得する稼働情報部１４０３、音声データを出力する音声出力部１０４を備えている。
【０１０６】
符号化されている音声ストリーム１０５が前記音声復号装置１４に入力されると、まず、前記音声復号部１００で音声ストリーム１０５が復号化されて音声データが生成され、この音声データがゲイン調整部１０１に入力される。このとき、音声データが生成されたことを示す情報が前記稼働情報部１４０３に通知される。
【０１０７】
前記稼働情報部１４０３では、前記通知のあった時刻における室内灯のＯＮ／ＯＦＦ状態を示す稼働情報が取得され、その稼働情報が前記ゲイン制御部１０２に送信される。
【０１０８】
前記ゲイン制御部１０２では、受信した稼働情報に応じた音声データのゲイン値が算出される。具体的には、稼働情報が室内灯のＯＮ状態、すなわち夜間（２０：００〜７：００）であることを示している場合には音声データのゲインを下げるべきであると判断され、室内灯のＯＦＦ状態、すなわち昼間（７：００〜２０：００）であることを示している場合には音声データのゲインを上げるべきであると判断され、各々の場合に応じたゲイン値が算出される。そして、この算出されたゲイン値が前記ゲイン調整部１０１に送信される。
【０１０９】
前記ゲイン調整部１０１では、前記ゲイン値に基づいて、前記音声復号部１００から出力された音声データのゲイン値の調整が行われ、その調整後の音声データが音声出力部１０４に出力される。
【０１１０】
前記音声出力部１０４では、入力された音声データがユーザーに視聴可能な音声として出力される。
【０１１１】
＜実施形態１５＞
図１５は、本発明の実施形態１５に係る音声復号装置１５の構成を示すブロック図である。図１５に示すように、この音声復号装置１５は、音声ストリームを復号する音声復号部１００、音声データのダイナミックレンジコンプレッション（ＤＲＣ）を調整するＤＲＣ調整部２０１、ＤＲＣ調整部２０１を制御するＤＲＣ制御部２０２、視聴者のいる部屋の室内灯のＯＮ／ＯＦＦ状態を示す稼働情報を取得する稼働情報部１４０３、音声データを出力する音声出力部１０４を備えている。
【０１１２】
符号化されている音声ストリーム１０５が前記音声復号装置１５に入力されると、まず、前記音声復号部１００で音声ストリーム１０５が復号化されて音声データが生成され、この音声データがＤＲＣ調整部２０１に入力される。このとき、音声データが生成されたことを示す情報が前記稼働情報部１４０３に通知される。
【０１１３】
前記稼働情報部１４０３では、前記通知のあった時刻における室内灯のＯＮ／ＯＦＦ状態を示す稼働情報が取得され、その時間情報が前記ＤＲＣ制御部２０２に送信される。
【０１１４】
前記ＤＲＣ制御部２０２では、受信した稼働情報に応じたＤＲＣが算出される。具体的には、稼働情報が室内灯のＯＮ状態、すなわち夜間（２０：００〜７：００）であることを示している場合には音声データのＤＲＣを高く（すなわち、最大音声レベルと最小音声レベルの差が小さくなるように）設定すべきであると判断され、室内灯のＯＦＦ状態、すなわち昼間（７：００〜２０：００）であることを示している場合には音声データのＤＲＣを低く（前記レベル差が大きくなるように）設定すべきであると判断され、各々の場合に応じたＤＲＣ値が算出される。そして、この算出されたＤＲＣ値がＤＲＣ調整部２０１に送信される。
【０１１５】
前記ＤＲＣ調整部２０１では、前記ＤＲＣ値に基づいて、前記音声復号部１００から出力された音声データのＤＲＣ値の調整が行われ、その調整後の音声データが音声出力部１０４に出力される。
【０１１６】
前記音声出力部１０４では、入力された音声データがユーザーに視聴可能な音声として出力される。
【０１１７】
＜実施形態１６＞
図１６は、本発明の実施形態１６に係る音声復号装置１６の構成を示すブロック図である。図１６に示すように、この音声復号装置１６は、音声ストリームを復号化する音声復号部１００、音声データの特定の周波数領域成分のゲインを調整する周波数調整部３０１、周波数調整部３０１を制御する周波数制御部３０２、視聴者のいる部屋の室内灯のＯＮ／ＯＦＦ状態を示す稼働情報を取得する稼働情報部１４０３、音声データを出力する音声出力部１０４を備えている。
【０１１８】
符号化されている音声ストリーム１０５が前記音声復号装置１６に入力されると、まず、前記音声復号部１００で音声ストリーム１０５が復号化されて音声データが生成され、この音声データが周波数調整部３０１に入力される。このとき、音声データが生成されたことを示す情報が前記稼働情報部１４０３に通知される。
【０１１９】
前記稼働情報部１４０３では、前記通知のあった時刻における室内灯のＯＮ／ＯＦＦ状態を示す稼働情報が取得され、その時間情報が前記周波数制御部３０２に送信される。
【０１２０】
前記周波数制御部３０２では、受信した稼働情報に応じた低周波数領域成分のゲイン値が算出される。具体的には、稼働情報が室内灯のＯＮ状態、すなわち夜間（２０：００〜７：００）であることを示している場合には音声データの低周波数領域成分をカットすべきであると判断され、室内灯のＯＦＦ状態、すなわち昼間（７：００〜２０：００）であることを示している場合にはそのようなカットは行うべきでないと判断され、各々の場合に応じた低周波数領域成分のゲイン値が算出される。そして、この算出された低周波数領域成分のゲイン値が周波数調整部３０１に送信される。
【０１２１】
前記周波数調整部３０１では、前記低周波数領域成分のゲイン値に基づいて、前記音声復号部１００から出力された音声データの低周波数領域成分のゲイン値の調整が行われ、その調整後の音声データが音声出力部１０４に出力される。
【０１２２】
前記音声出力部１０４では、入力された音声データがユーザーに視聴可能な音声として出力される。
【０１２３】
＜実施形態１７＞
図１７は、本発明の実施形態１７に係る音声復号装置１７の構成を示すブロック図である。図１７に示すように、この音声復号装置１７は、音声ストリームを復号する音声復号部１００、音声データのゲインを調整するゲイン調整部１０１、ゲイン調整部１０１を制御するゲイン制御部１０２、車窓の開閉状態を示す開閉情報を取得する開閉情報部１７０３、音声データを出力する音声出力部１０４を備えている。
【０１２４】
符号化されている音声ストリーム１０５が前記音声復号装置１７に入力されると、まず、前記音声復号部１００で音声ストリーム１０５が復号化されて音声データが生成され、この音声データがゲイン調整部１０１に入力される。このとき、音声データが生成されたことを示す情報が前記開閉情報部１７０３に通知される。
【０１２５】
前記開閉情報部１７０３では、前記通知のあった時刻における車窓の開閉状態を示す開閉情報が取得され、その開閉情報が前記ゲイン制御部１０２に送信される。
【０１２６】
前記ゲイン制御部１０２では、受信した開閉情報に応じた音声データのゲイン値が算出される。具体的には、開閉情報が車窓の開状態を示している場合には音声データのゲインを下げるべきであると判断され、車窓の閉状態を示している場合には音声データのゲインを上げるべきであると判断され、各々の場合に応じたゲイン値が算出される。そして、この算出されたゲイン値が前記ゲイン調整部１０１に送信される。
【０１２７】
前記ゲイン調整部１０１では、前記ゲイン値に基づいて、前記音声復号部１００から出力された音声データのゲイン値の調整が行われ、その調整後の音声データが音声出力部１０４に出力される。
【０１２８】
前記音声出力部１０４では、入力された音声データがユーザーに視聴可能な音声として出力される。
【０１２９】
以上のように、本実施形態１７に係る音声復号装置によれば、前記音声出力部１０４から出力される音声データを聞く場合、視聴者は、視聴者は、車窓が開いている状態では、周囲の人への配慮として音声データのゲイン（音量）を下げて聞き、逆に車窓が閉まっている状態では、聞きやすさを保つためにゲインを上げて聞くことができるようになり、非常に利便性が高まる。
【０１３０】
＜実施形態１８＞
図１８は、本発明の実施形態１８に係る音声復号装置１８の構成を示すブロック図である。図１８に示すように、この音声復号装置１８は、音声ストリームを復号する音声復号部１００、音声データのゲインを調整するゲイン調整部１０１、ゲイン調整部１０１を制御するゲイン制御部１０２、時間情報を取得する時間情報部１０３、音声データを出力する音声出力部１０４、音声データのゲイン値とそれに対応する時間帯をユーザーが任意に設定可能な設定部１８０５を備えている。
【０１３１】
まず、設定部１８０５において、ユーザーの操作によって、夜間（２０：００〜７：００）に音声データのゲインを上げ、昼間（７：００〜２０：００）にゲインを下げるように予め設定しておく。
【０１３２】
そして、符号化されている音声ストリーム１０５が前記音声復号装置１８に入力されると、まず、前記音声復号部１００で音声ストリーム１０５が復号化されて音声データが生成され、この音声データがゲイン調整部１０１に入力される。このとき、音声データが生成されたことを示す情報が前記時間情報部１０３に通知される。
【０１３３】
前記時間情報部１０３では、前記通知のあった時刻を示す時間情報が取得され、その時間情報が前記ゲイン制御部１０２に送信される。
【０１３４】
前記ゲイン制御部１０２では、受信した時間情報と前記設定部１８０５で設定された設定情報とに応じた音声データのゲイン値が算出される。具体的には、時間情報が夜間（２０：００〜７：００）の場合には音声データのゲインを上げるべきであると判断され、昼間（７：００〜２０：００）の場合には音声データのゲインを下げるべきであると判断され、各々の場合に応じたゲイン値が算出される。そして、この算出されたゲイン値が前記ゲイン調整部１０１に送信される。
【０１３５】
前記ゲイン調整部１０１では、前記ゲイン値に基づいて、前記音声復号部１００から出力された音声データのゲイン値の調整が行われ、その調整後の音声データが音声出力部１０４に出力される。
【０１３６】
前記音声出力部１０４では、入力された音声データがユーザーに視聴可能な音声として出力される。
【０１３７】
以上のように、本実施形態１８に係る音声復号装置によれば、前記音声出力部１０４から出力される音声データを聞く場合、視聴者は、自分の都合や好みに応じて音声データのゲインを調整することができ、非常に利便性が高まる。
【０１３８】
＜実施形態１９＞
図１９は、本発明の実施形態１９に係る音声復号装置１９の構成を示すブロック図である。図１９に示すように、この音声復号装置１９は、音声ストリームを復号する音声復号部１００、音声データのダイナミックレンジコンプレッション（ＤＲＣ）を調整するＤＲＣ調整部２０１、ＤＲＣ調整部２０１を制御するＤＲＣ制御部２０２、時間情報を取得する時間情報部１０３、音声データを出力する音声出力部１０４、音声データのＤＲＣ値とそれに対応する時間帯をユーザーが任意に設定可能な設定部１８０５を備えている。
【０１３９】
まず、設定部１８０５において、夜間（２０：００〜７：００）に音声データのＤＲＣを低くし、昼間（７：００〜２０：００）にＤＲＣを高くするように、ユーザーの操作によって予め設定しておく。
【０１４０】
そして、符号化されている音声ストリーム１０５が前記音声復号装置１９に入力されると、まず、前記音声復号部１００で音声ストリーム１０５が復号化されて音声データが生成され、この音声データがＤＲＣ調整部２０１に入力される。このとき、音声データが生成されたことを示す情報が前記時間情報部１０３に通知される。
【０１４１】
前記時間情報部１０３では、前記通知のあった時刻を示す時間情報が取得され、その時間情報が前記ＤＲＣ制御部２０２に送信される。
【０１４２】
前記ＤＲＣ制御部２０２では、受信した時間情報と前記設定部１８０５で設定された設定情報とに応じたＤＲＣが算出される。具体的には、時間情報が夜間（２０：００〜７：００）の場合には音声データのＤＲＣを低く（すなわち、最大音声レベルと最小音声レベルの差が大きくなるように）設定すべきであると判断され、昼間（７：００〜２０：００）の場合には音声データのＤＲＣを高く（前記レベル差が小さくなるように）設定すべきであると判断され、各々の場合に応じたＤＲＣ値が算出される。そして、この算出されたＤＲＣ値がＤＲＣ調整部２０１に送信される。
【０１４３】
前記ＤＲＣ調整部２０１では、前記ＤＲＣ値に基づいて、前記音声復号部１００から出力された音声データのＤＲＣ値の調整が行われ、その調整後の音声データが音声出力部１０４に出力される。
【０１４４】
前記音声出力部１０４では、入力された音声データがユーザーに視聴可能な音声として出力される。
【０１４５】
＜実施形態２０＞
図２０は、本発明の実施形態２０に係る音声復号装置２０の構成を示すブロック図である。図２０に示すように、この音声復号装置２０は、音声ストリームを復号化する音声復号部１００、音声データの特定の周波数領域成分のゲインを調整する周波数調整部３０１、周波数調整部３０１を制御する周波数制御部３０２、時間情報を取得する時間情報部１０３、音声データを出力する音声出力部１０４、音声データの低周波数成分カット量とそれに対応する時間帯をユーザーが任意に設定可能な設定部１８０５を備えている。
【０１４６】
まず、設定部１８０５において、夜間（２０：００〜７：００）に音声データの低周波数成分をカットしないようにし、昼間（７：００〜２０：００）に低周波数成分をカットするように、ユーザーの操作によって予め設定しておく。
【０１４７】
そして、符号化されている音声ストリーム１０５が前記音声復号装置２０に入力されると、まず、前記音声復号部１００で音声ストリーム１０５が復号化されて音声データが生成され、この音声データが周波数調整部３０１に入力される。このとき、音声データが生成されたことを示す情報が前記時間情報部１０３に通知される。
【０１４８】
前記時間情報部１０３では、前記通知のあった時刻を示す時間情報が取得され、その時間情報が前記周波数制御部３０２に送信される。
【０１４９】
前記周波数制御部３０２では、受信した時間情報と前記設定部１８０５で設定された設定情報とに応じた低周波数領域成分のゲイン値が算出される。具体的には、時間情報が夜間（２０：００〜７：００）の場合には音声データの低周波数領域成分をカットすべきでないと判断され、昼間（７：００〜２０：００）の場合には低周波数領域成分をカットすべきであると判断され、各々の場合に応じた低周波数領域成分のゲイン値が算出される。そして、この算出された低周波数領域成分のゲイン値が周波数調整部３０１に送信される。
【０１５０】
前記周波数調整部３０１では、前記低周波数領域成分のゲイン値に基づいて、前記音声復号部１００から出力された音声データの低周波数領域成分のゲイン値の調整が行われ、その調整後の音声データが音声出力部１０４に出力される。
【０１５１】
前記音声出力部１０４では、入力された音声データがユーザーに視聴可能な音声として出力される。
【０１５２】
＜実施形態２１＞
図２１は、本発明の実施形態２１に係る音声復号装置２１の構成を示すブロック図である。図２１に示すように、この音声復号装置２１は、音声ストリームを復号する音声復号部１００、音声データのゲインを調整するゲイン調整部１０１、ゲイン調整部１０１を制御するゲイン制御部１０２、時間情報を取得する時間情報部１０３、音声データを出力する音声出力部１０４、調整後のゲインの限界値をユーザーが任意に設定可能な限界値制御部２１０６を備えている。
【０１５３】
まず、限界値制御部２１０６において、調整後のゲイン値が所定の範囲内に収まるように、ユーザーの操作によって予め限界値を設定しておく。
【０１５４】
そして、符号化されている音声ストリーム１０５が前記音声復号装置２１に入力されると、まず、前記音声復号部１００で音声ストリーム１０５が復号化されて音声データが生成され、この音声データがゲイン調整部１０１に入力される。このとき、音声データが生成されたことを示す情報が前記時間情報部１０３に通知される。
【０１５５】
前記時間情報部１０３では、前記通知のあった時刻を示す時間情報が取得され、その時間情報が前記ゲイン制御部１０２に送信される。
【０１５６】
前記ゲイン制御部１０２では、受信した時間情報に応じた音声データのゲイン値が算出される。具体的には、時間情報が夜間（２０：００〜７：００）の場合には音声データのゲインを下げるべきであると判断され、昼間（７：００〜２０：００）の場合には音声データのゲインを上げるべきであると判断され、各々の場合に応じたゲイン値が算出される。そして、この算出されたゲイン値が前記ゲイン調整部１０１に送信される。
【０１５７】
前記ゲイン調整部１０１では、前記ゲイン値に基づいて、前記音声復号部１００から出力された音声データのゲイン値の調整が行われ、その調整後の音声データが限界値制御部２１０６に出力される。
【０１５８】
前記限界値制御部２１０６では、調整後のゲイン値が設定された限界値を超えていないかが判定される。ここで、調整後のゲイン値が限界値よりも大きい場合には、その調整後のゲイン値が小さくなる方向に再調整される。また、調整後のゲイン値が限界値よりも小さい場合には、その調整後のゲイン値が大きくなる方向に再調整される。このように再調整された音声データは、音声出力部１０４に出力される。
【０１５９】
前記音声出力部１０４では、入力された音声データがユーザーに視聴可能な音声として出力される。
【０１６０】
なお、本実施形態２１の音声復号装置２１では、ゲインを調整する前記実施形態１の音声復号装置１に対して限界値制御部２１０６を備えた構成について説明したが、この形態に限定するものではなく、例えば、ＤＲＣを調整する前記実施形態２や、再生速度を調整する前記実施形態１３の音声復号装置等に対して限界値制御部２１０６を備えた構成であってもよい。
【０１６１】
＜実施形態２２＞
図２２は、本発明の実施形態２２に係る音声復号装置２２の構成を示すブロック図である。図２２に示すように、この音声復号装置２２は、音声ストリームを復号する音声復号部１００、音声データのゲインを調整するゲイン調整部１０１、ゲイン調整部１０１を制御するゲイン制御部１０２、時間情報を取得する時間情報部１０３、音声データを出力する音声出力部１０４、ゲイン調整を行うか否かをユーザーが任意に切替可能な切り替え部２２０７を備えている。
【０１６２】
まず、切り替え部２２０７において、ユーザの操作によって、時間情報に応じて音声データのゲイン調整を行うか否かを予め設定しておく。すなわち、ユーザーがゲイン調整を必要としないと考える場合には、ゲイン調整を行わないように制御することができる。
【０１６３】
そして、符号化されている音声ストリーム１０５が前記音声復号装置１に入力されると、まず、前記音声復号部１００で音声ストリーム１０５が復号化されて音声データが生成される。
【０１６４】
ここで、ユーザーが、前記切り替え部２２０７でゲイン調整を行わない設定にした場合には、復号化された音声データが音声出力部１０４に出力され、音声出力部１０４においてユーザーが視聴可能な音声として出力される。
【０１６５】
一方、前記切り替え部２２０７でゲイン調整を行うような設定にした場合には、復号化された音声データがゲイン調整部１０１に入力される。このとき、音声データが生成されたことを示す情報が前記時間情報部１０３に通知される。
【０１６６】
前記時間情報部１０３では、前記通知のあった時刻を示す時間情報が取得され、その時間情報が前記ゲイン制御部１０２に送信される。
【０１６７】
前記ゲイン制御部１０２では、受信した時間情報に応じた音声データのゲイン値が算出される。具体的には、時間情報が夜間（２０：００〜７：００）の場合には音声データのゲインを下げるべきであると判断され、昼間（７：００〜２０：００）の場合には音声データのゲインを上げるべきであると判断され、各々の場合に応じたゲイン値が算出される。そして、この算出されたゲイン値が前記ゲイン調整部１０１に送信される。
【０１６８】
前記ゲイン調整部１０１では、前記ゲイン値に基づいて、前記音声復号部１００から出力された音声データのゲイン値の調整が行われ、その調整後の音声データが音声出力部１０４に出力される。
【０１６９】
前記音声出力部１０４では、入力された音声データがユーザーに視聴可能な音声として出力される。
【０１７０】
なお、本実施形態２２の音声復号装置２２では、時間情報に応じた音声データのゲイン調整を行うか否かを切り替えるようにしているが、この形態に限定するものではなく、例えば、前記実施形態２〜２１の音声復号装置のように、時間情報、気温情報、照度情報、音声ストリームのジャンル情報、家電製品の稼動情報、車窓の開閉情報に応じて、音声データのゲイン、ＤＲＣ、低周波数成分のカット、再生速度の制御を行うか否かを切り替えるようにしてもよい。
【産業上の利用可能性】
【０１７１】
以上説明したように、本発明は、周囲の状況に合わせて自動的に音声データに出力を制御することができるという実用性の高い効果が得られることから、きわめて有用で産業上の利用可能性は高い。すなわち、手間をかけずにユーザーの好みに合わせた出力制御動作を行うことができ、例えば、ＤＶＤプレイヤ、テレビ、カーオーディオ等の民生音声機器に応用することができる。
【図面の簡単な説明】
【０１７２】
【図１】本発明の実施形態１に係る音声復号装置の構成を示すブロック図である。
【図２】本実施形態２に係る音声復号装置の構成を示すブロック図である。
【図３】本実施形態３に係る音声復号装置の構成を示すブロック図である。
【図４】本実施形態４に係る音声復号装置の構成を示すブロック図である。
【図５】本実施形態５に係る音声復号装置の構成を示すブロック図である。
【図６】本実施形態６に係る音声復号装置の構成を示すブロック図である。
【図７】本実施形態７に係る音声復号装置の構成を示すブロック図である。
【図８】本実施形態８に係る音声復号装置の構成を示すブロック図である。
【図９】本実施形態９に係る音声復号装置の構成を示すブロック図である。
【図１０】本実施形態１０に係る音声復号装置の構成を示すブロック図である。
【図１１】本実施形態１１に係る音声復号装置の構成を示すブロック図である。
【図１２】本実施形態１２に係る音声復号装置の構成を示すブロック図である。
【図１３】本実施形態１３に係る音声復号装置の構成を示すブロック図である。
【図１４】本実施形態１４に係る音声復号装置の構成を示すブロック図である。
【図１５】本実施形態１５に係る音声復号装置の構成を示すブロック図である。
【図１６】本実施形態１６に係る音声復号装置の構成を示すブロック図である。
【図１７】本実施形態１７に係る音声復号装置の構成を示すブロック図である。
【図１８】本実施形態１８に係る音声復号装置の構成を示すブロック図である。
【図１９】本実施形態１９に係る音声復号装置の構成を示すブロック図である。
【図２０】本実施形態２０に係る音声復号装置の構成を示すブロック図である。
【図２１】本実施形態２１に係る音声復号装置の構成を示すブロック図である。
【図２２】本実施形態２２に係る音声復号装置の構成を示すブロック図である。
【図２３】従来の音声復号装置の構成を示すブロック図である。
【符号の説明】
【０１７３】
１〜２２  音声復号装置
１００  音声復号部
１０１  ゲイン調整部
１０２  ゲイン制御部
１０３  時間情報部
１０４  音声出力部
１０５  音声ストリーム
２０１  ＤＲＣ調整部
２０２  ＤＲＣ制御部
３０１  周波数調整部
３０２  周波数制御部
４０３  照度情報部
７０３  気温情報部
１００３  ジャンル情報部
１３０１  速度調整部
１３０２  速度制御部
１４０３  稼動情報部
１７０３  開閉情報部
１８０５  設定部
２１０６  限界値制御部
２２０７  切り替え部
【図１】
2007005853.tif 000003
【図２】
2007005853.tif 000004
【図３】
2007005853.tif 000005
【図４】
2007005853.tif 000006
【図５】
2007005853.tif 000007
【図６】
2007005853.tif 000008
【図７】
2007005853.tif 000009
【図８】
2007005853.tif 000010
【図９】
2007005853.tif 000011
【図１０】
2007005853.tif 000012
【図１１】
2007005853.tif 000013
【図１２】
2007005853.tif 000014
【図１３】
2007005853.tif 000015
【図１４】
2007005853.tif 000016
【図１５】
2007005853.tif 000017
【図１６】
2007005853.tif 000018
【図１７】
2007005853.tif 000019
【図１８】
2007005853.tif 000020
【図１９】
2007005853.tif 000021
【図２０】
2007005853.tif 000022
【図２１】
2007005853.tif 000023
【図２２】
2007005853.tif 000024
【図２３】
2007005853.tif 000025